(57)【特許請求の範囲】
【請求項１】
長方形状のスポンジの外周全面に亘って合成繊維または綿等の糸により形成されたネットを被覆固着すると共に、前記スポンジの表・裏面のいずれか一方の長手方向中央部に、上端に、棒状物を差込む差込開口を備えた合成繊維または綿等の糸によりネット状に編成された差込みポケットを、前記ネットに一体に連結固着したことを特徴とする台所における洗浄用スポンジ。
【請求項２】
長方形状のスポンジの外周全面に亘って合成繊維または綿等の糸により形成されたネットを被覆固着すると共に、前記スポンジの表・裏面のいずれか一方の長手方向両側部に、上端に、棒状物を差込む差込開口を備えた合成繊維または綿等の糸によりネット状に編成された差込みポケットを、前記ネットに一体に連結固着したことを特徴とする台所における洗浄用スポンジ。
【請求項３】
長方形状のスポンジの外周全面に亘って合成繊維または綿等の糸により形成されたネットを被覆固着すると共に、前記スポンジの表・裏面のいずれか一方の長手方向中央部に、上端に、指を差込む差込開口を備えた合成繊維または綿等の糸によりネット状に編成された差込みポケットを、前記ネットに一体に連結固着したことを特徴とする台所における洗浄用スポンジ。
【請求項４】
長方形状のスポンジの外周全面に亘って合成繊維または綿等の糸により形成されたネットを被覆固着すると共に、前記スポンジの表・裏面のいずれか一方の長手方向両側部に、上端に、指を差込む差込開口を備えた合成繊維または綿等の糸によりネット状に編成された差込みポケットを、前記ネットに一体に連結固着したことを特徴とする台所における洗浄用スポンジ。
【発明の詳細な説明】
【技術分野】
【０００１】
本発明は、長方形状のスポンジの外周全面に亘って合成繊維または綿等の糸により形成されたネットを被覆固着すると共に、前記スポンジの表・裏面のいずれか一方の長手方向に、上端に、はし等の棒状物や指を差込む差込開口を備えた、合成繊維または綿等の糸によりネット状に編成された１個または２個の差込みポケットを前記ネットに一体に連結固着して形成され、且つ前記差込みポケットに、はし等の棒状物を着脱自在に差込んだり、あるいは指を差込んで、コップや哺乳びんまたは水筒等の底面まで手が届きにくい長筒状容器を洗浄する際に使用することもできるし、また前記棒状物を抜き去ったり、あるいは指を抜き去ると、台所において普通一般に使用されているスポンジと同様に使用することができる洗浄用スポンジに関するものである。
【背景技術】
【０００２】
従来、コップや哺乳びん等の長筒状容器を洗浄する場合、棒状の柄の先方側にスポンジを固着したものが使用されていた。また、コップや哺乳びん等の長筒状容器の洗浄用具に関する技術思想につき過去の特許文献を遡及検索したところ、下記の特許文献に記載された「穴あきスポンジ」が公知である。
【先行技術文献】
【特許文献】
【０００３】
【特許文献１】特許第４７１３２２６号公報
【発明の開示】
【発明が解決しようとする課題】
【０００４】
前記従来一般に使用されている棒状の柄の先方側にスポンジを固着した洗浄用スポンジは、長さが長いので、使用後の収納に場所を取るため不便であるという課題があり、また前記特許文献１記載の穴あきスポンジは、該スポンジに何等補強手段が設置されていないので、食器を洗浄するとき箸挿入ガイド孔に挿入した箸に力を入れると、前記スポンジが、箸挿入ガイド孔部分から破れて破断する虞れがあると共に、形崩れし、耐久性の点において劣るという課題があった。
【０００５】
本発明は、課題を解決すべくなされたものであって、長方形状のスポンジの外周全面に亘って、合成繊維または綿等の糸により形成されたネットを被覆固着すると共に、前記スポンジの表・裏面のいずれか一方の長手方向に、上端に、はし等の棒状物を差込む差込開口を備えた、合成繊維または綿等の糸によりネット状に編成された１個または２個の差込みポケットを前記ネットに一体に連結固着して形成され、該差込ポケットに前記棒状物あるいは指を差込むことにより、コップ等の長筒状容器を底部まで簡単に洗浄できると共に、前記スポンジがネットおよび差込みポケットにより補強され、破断したり、型崩れする虞れもなく、耐久性に優れている台所における洗浄用スポンジを提供しようとするものである。
【課題を解決するための手段】
【０００６】
本発明は、長方形状のスポンジの外周全面に亘って合成繊維または綿等の糸により形成されたネットを被覆固着すると共に、前記スポンジの表・裏面のいずれか一方の長手方向中央部に、上端に、棒状物を差込む差込開口を備えた合成繊維または綿等の糸によりネット状に編成された差込みポケットを、前記ネットに一体に連結固着するという手段、または、
長方形状のスポンジの外周全面に亘って合成繊維または綿等の糸により形成されたネットを被覆固着すると共に、前記スポンジの表・裏面のいずれか一方の長手方向両側部に、上端に、棒状物を差込む差込開口を備えた合成繊維または綿等の糸によりネット状に編成された差込みポケットを、前記ネットに一体に連結固着するという手段、そしてまたは、
長方形状のスポンジの外周全面に亘って合成繊維または綿等の糸により形成されたネットを被覆固着すると共に、前記スポンジの表・裏面のいずれか一方の長手方向中央部に、上端に、指を差込む差込開口を備えた合成繊維または綿等の糸によりネット状に編成された差込みポケットを、前記ネットに一体に連結固着するという手段、あるいは、
長方形状のスポンジの外周全面に亘って合成繊維または綿等の糸により形成されたネットを被覆固着すると共に、前記スポンジの表・裏面のいずれか一方の長手方向両側部に、上端に、指を差込む差込開口を備えた合成繊維または綿等の糸によりネット状に編成された差込みポケットを、前記ネットに一体に連結固着するという手段、
のいずれかを採用することにより、上記課題を解決した。
【発明の効果】
【０００７】
上記構成より成る本発明によれば、長方形状のスポンジの外周全面に亘って合成繊維または綿等の糸により形成されたネットを被覆固着すると共に、前記スポンジの表・裏面のいずれか一方の長手方向に、上端に、はし等の棒状物や指を差込む差込開口を備えた合成繊維または綿等の糸によりネット状に編成された１個または２個の差込みポケットを、前記ネットに一体に連結固着して形成され、且つ前記差込みポケットに、はし等のやや長めの棒状物を着脱自在に差込んだり、あるいは指を差込んで、コップや哺乳びんまたは水筒等の底面まで手が届きにくい長筒状容器を洗浄する際に使用することもできるし、また前記棒状物を抜き去ったり、あるいは指を抜き去ると、台所において普通一般に使用されているスポンジと同様に使用することができ、更に前記スポンジがネットおよび差込みポケットにより補強され、破断したり、型崩れする虞れもなく、耐久性にも優れている。
【図面の簡単な説明】
【０００８】
【図１】本発明台所における洗浄用スポンジの第１実施例を示す全体の斜視図である。
【図２】本発明台所における洗浄用スポンジの第２実施例を示す全体の斜視図である。
【図３】本発明台所における洗浄用スポンジの第３実施例を示す全体の斜視図である。
【図４】本発明台所における洗浄用スポンジの第４実施例を示す全体の斜視図である。
【実施例】
【０００９】
本発明の実施例を図面に基づいて詳細に説明する。図１は、本発明に係る台所における洗浄用スポンジの第１実施例を示す全体の斜視図であり、図１に示すように、長方形状のスポンジ１の外周全面に亘って、該スポンジ１全体を補強すると共に、コップ等の長筒状容器との接触面の摩擦係数を大として、洗浄能力を高めるため、合成繊維または綿等の糸により形成されたネット２を被覆固着する。
【００１０】
そして、前記ネット２を被覆固着した前記スポンジ１の表・裏面のいずれか一方の長手方向中央部に、上端に、はし等の棒状物３を差込む差込開口４を備えた、合成繊維または綿等の糸によりネット状に編成された差込みポケット５を前記ネット２に一体に連結固着して形成されている。そして、前記スポンジ１は、その全周に亘ってネット２で被覆されているので、該ネット２および前記差込みポケット５で補強されて、強度が増すことになる。なお、前記差込ポケット５は、特に限定する必要はないが、好ましくは、前記スポンジ１の長手方向全長に亘って設けることが推奨される。
【００１１】
第１実施例の作用について説明すると、はし等の棒状物３を差込開口４から差込みポケット５に挿入し、且つ該棒状物３の基部側を握って、コップ等の長筒状容器に前記スポンジ１を差込み洗浄すると、前記スポンジ１は形崩れすることなく、前記長筒状容器の底面および内周壁面に摺接して、効率よく洗浄することができる。また、棒状物３を抜き去ると、普通のスポンジとしても使用することができる。
【００１２】
また、図２は、本発明に係る台所における洗浄用スポンジの第２実施例を示す全体の斜視図であり、図２に示すように、長方形状のスポンジ１１の外周全面に亘って、該スポンジ１１全体を補強すると共に、コップ等の長筒状容器との接触面の摩擦係数を大として、洗浄能力を高めるため、合成繊維または綿等の糸により形成されたネット１２を被覆固着する。
【００１３】
そして、前記ネット１２を被覆固着した前記スポンジ１１の表・裏面のいずれか一方の長手方向両側部に、上端に、はし等の棒状物１３を差込む差込開口１４を備えた、合成繊維または綿等の糸によりネット状に編成された差込みポケット１５を前記ネット１２に一体に連結固着して形成されている。そして、前記スポンジ１１は、その全周に亘ってネット１２で被覆されているので、該ネット１２および前記差込みポケット１５で補強されて、強度が増すことになる。なお、前記差込ポケット１５は、特に限定する必要はないが、好ましくは、前記スポンジ１１の長手方向全長に亘って設けることが推奨される。
【００１４】
第２実施例の作用について説明すると、はし等の棒状物１３を差込開口１４から差込みポケット１５に挿入し、且つ該棒状物１３の基部側を握って、コップ等の長筒状容器に前記スポンジ１１を差込み洗浄すると、前記スポンジ１１は形崩れすることなく、前記長筒状容器の底面および内周壁面に摺接して、効率よく洗浄することができる。また、棒状物１３を抜き去ると、普通のスポンジとしても使用することができる。
【００１５】
更に、前記図１・図２の第１実施例および第２実施例の場合と異なり、はし等の棒状物４・１４の代りに、図３の第３実施例、または図４の第４実施例に示すように、差込みポケット５・１５に指１６を差込んで使用することもできる。前記指１６を差込みポケット５・１５に差込んで、コップ等の長筒状容器を洗浄すると、前記はし等の棒状物４・１４を使用する場合よりも、スポンジ１・１１全体に力を入れることができるので、洗浄効率において優れている。なお、第３実施例および第４実施例とも、差込みポケットト５・１５を備えたスポンジ１・１１の構成は、前記第１実施例および第２実施例の場合と同一であるので、詳細な説明は省略する。
【００１６】
なお、前記第１実施例〜第４実施例においては、差込みポケット５・１５を合成繊維または綿等の糸により、ネット状に編成したものとして説明したが、前記合成繊維または綿等の糸によりネット状に編成した差込みポケットの代りに、合成繊維または綿等より成る布により形成された差込みポケットを使用することもできる。
【符号の説明】
【００１７】
１  スポンジ
２  ネット
３  棒状物
４  差込開口
５  差込みポケット
１１  スポンジ
１２  ネット
１３  棒状物
１４  差込開口
１５  差込みポケット
１６  指
【図１】
0006564242.tif 000002
【図２】
0006564242.tif 000003
【図３】
0006564242.tif 000004
【図４】
0006564242.tif 000005